(57)【要約】  本発明は、炭素含有量０．０３％以下である耐腐食性鋼鉄を主成分とする素材から成ることを特徴とし、耐衝撃性や耐圧性を有することに加え、液晶材料の比抵抗値や電圧保持率を高い状態で貯蔵および輸送することができ、更に長期間において、その状態を維持することができ、液晶材料の長期の品質安定性を与える容器を提供する。また、これを用いた貯蔵又は輸送の方法を提供する。本発明は、ＴＦＴ駆動液晶表示素子を作製するために用いられる液晶材料の貯蔵および輸送に有用である。【特許請求の範囲】
【請求項１】
有機材料との接触面が炭素含有量０．０３％以下である耐腐食性鋼鉄を主成分とする素材である、剛直で気密性を有する容器。
【請求項２】
水及び酸素に対する機密性を有する請求項１記載の容器。
【請求項３】
請求項１又は２記載の有機材料の貯蔵又は運搬のための容器。
【請求項４】
前記有機材料が比抵抗値１．０×１０１２Ω・ｃｍ以上である請求項１〜３のいずれか１項に記載の容器。
【請求項５】
前記電子材料が液晶材料である請求項１〜３のいずれか１項に記載の容器。
【請求項６】
請求項１〜５のいずれか一項に記載の容器を用いた貯蔵又は運搬の方法。
【請求項７】
不活性ガス雰囲気下で行う請求項６記載の貯蔵又は運搬の方法。
【発明の詳細な説明】
【技術分野】
【０００１】
本発明は、安定した品質維持が求められる有機材料である液晶材料に使用する容器及びその容器を使った貯蔵又は輸送の方法に関する。
【背景技術】
【０００２】
液晶表示素子は、時計、電卓をはじめとして、各種測定機器、自動車用パネル、ワードプロセッサー、電子手帳、プリンター、コンピューター、テレビ、時計、広告表示板等に用いられるようになっている。液晶表示方式としては、その代表的なものにＴＮ（ツイステッド・ネマチック）型、ＳＴＮ（スーパー・ツイステッド・ネマチック）型、ＴＦＴ（薄膜トランジスタ）を用いた垂直配向型やＩＰＳ（イン・プレーン・スイッチング）型等がある。これらの液晶表示素子に用いられる液晶材料は、一般的には数種類から数十種類の化合物から構成される液状の組成物であって、それぞれの使用される用途や表示方式によって、最適な物性値や性能を求められる。更に、液晶表示素子の信頼性や寿命等の観点から水分、空気、熱、光などの外的要因に対して安定であることも求められる。また、液晶材料は、イオン性不純物等が混入すると液晶表示素子の電気的性能が悪化するため、その保管においても十分な管理が求められる。【０００３】
液晶材料の保管には、１００ｍＬから１Ｌ程度のガラス瓶が使用されることが一般的であるが、液晶表示素子の大型化が進み、使用される液晶材料が増えることに伴って、液晶材料を保管する容器も大容量であることが必要となってきている。【０００４】
しかし、大容量のガラス瓶はコストがかかり、また、運搬時にガラス瓶を破損してしまう危険性もある。また、液晶表示素子を製造するために液晶材料を液晶パネルに封入する方法として、液晶材料の保管容器に液晶材料を注入する装置へ導入する管を直接繋ぎ、ポンプ等で送り込む方式が提案されている。しかしながら、液晶表示素子の大型化に伴い、液晶材料を送り込むための圧力が大きくなり、そのために液晶材料の保管容器の耐圧も十分に強いものが求められるようになっている。【０００５】
このような中、ステンレス製の液晶材料の貯蔵容器と液晶材料を注入するユニットが一体化した液晶表示素子の製造装置が提案されている。（特許文献１）
また、耐腐食性鋼鉄製の容器を用い。破損防止、液晶材料の汚染防止およびリユースによる環境的調和の改善を目的とした輸送および貯蔵の方法が提案されている。（特許文献２）
しかしながら、貯蔵や輸送の際にこれまで以上に高いレベルでの液晶材料の長期的な品質維持が求められていた。
【先行技術文献】
【特許文献】
【０００６】
【特許文献１】特開２００１−１５４２１０号公報
【特許文献２】特開２００５−１５７３６１号公報
【発明の概要】
【発明が解決しようとする課題】
【０００７】
本発明が解決しようする課題は、衝撃に対する破損等の問題が無く液晶材料をガス等の圧力により直接製造装置に移し替える作業にも耐えうる容器であって、更に液晶材料の品質の長期安定性を維持することができる容器を提供することである。また、これを用いた貯蔵又は輸送の方法を提供することである。
【課題を解決するための手段】
【０００８】
本発明は、上記課題を解決するために鋭意検討した結果、剛直で気密性を有し、更に特定成分の耐腐食性鋼鉄の素材で構成される容器とすることで、長期的に品質安定性を与えることのできる貯蔵および輸送のための容器が得られることを見出し本発明の完成に至った。【０００９】
すなわち、剛直で気密性を有し炭素含有量０．０３％以下である耐腐食性鋼鉄を主成分とする素材から成ることを特徴とする有機材料の貯蔵又は運搬のための容器を提供する。
【発明の効果】
【００１０】
本発明の容器は、耐衝撃性や耐圧性を有することに加え、液晶材料の比抵抗値や電圧保持率を高い状態で貯蔵および輸送することができ、更に長期間において、その状態を維持することができることから、液晶材料の長期の品質安定性を与える。本発明の容器は、ＴＮ表示モード、ＩＰＳ表示モード、ＶＡ表示モード、ＰＳＶＡ表示モード等のＴＦＴ駆動液晶表示素子を作製するために用いられる液晶材料の貯蔵および輸送に有用である。
【発明を実施するための形態】
【００１１】
本発明の容器は、品質の安定性を求められる有機材料、特に液晶材料の貯蔵や輸送に用いられる。
【００１２】
本発明の容器は、正圧や負圧に対して気密性を有し、衝撃に耐えうる剛直性を有するが、圧力容器としての機能を有することが好ましい。正圧にする場合、容器内に圧縮空気や窒素ガスやアルゴンガス等の不活性ガスを封入するための分配器や圧力計を取り付けられるようになっていることが好ましく、負圧にする場合、真空ポンプによる減圧化を行うため配管を取り付けられるようになっていることが好ましい。
【００１３】
また、本発明の容器は、内容物の品質の安定性の観点から水や空気に対する気密性を有することが好ましい。
【００１４】
本発明の容器は、耐腐食性鋼鉄を主成分とする素材より成り、その耐腐食性鋼鉄中の炭素含有量は、０．０３％以下である。該素材は容器に入れられる有機材料と接触する内表面に使用されることが必要であるが、容器全体に使用されていても良い。
【００１５】
耐腐食性鋼鉄として、ステンレス鋼が好ましい。炭素含有量０．０３％以下のステンレス鋼は、低炭素ステンレス鋼と呼ばれている場合があり、これを使用することもできる。
【００１６】
本発明の容器の内表面は、電解研磨等の処理がなされていても良い。
【００１７】
本発明の容器の容量は、１Ｌ以上であることが好ましく、５Ｌ以上であることが更に好ましい。気密性、衝撃性に耐えうるので、１００Ｌ以上であることもできる。
【００１８】
本発明の容器は、比抵抗等の電気的性能の長期的安定性が求められる電子デバイス製造用有機材料に使用されることが好ましく、液晶表示素子用の液晶材料に使用されることが更に好ましく、ＴＦＴ駆動液晶表示素子用の液晶材料に使用されることが特に好ましい。
【００１９】
本発明の容器に使用される液晶材料として、例えば、フッ素基が導入された液晶化合物を含有する液晶組成物が挙げられる。
【００２０】
フッ素基が導入された液晶化合物として、具体的には以下のようなものが挙げられる。
【００２１】
【化１】
2015133328.tif 000002
【００２２】
（式中、Ｒ１１は炭素数１〜１５のアルキル基を表し、該アルキル基中の１つ又は２つ以上の−ＣＨ２−は、酸素原子が直接隣接しないように、−Ｏ−、−ＣＨ＝ＣＨ−、−ＣＯ−、−ＯＣＯ−、−ＣＯＯ−、−ＣＦ２Ｏ−又は−ＯＣＦ２−で置換されてよく、該アルキル基中の１つ又は２つ以上の水素原子は任意にハロゲンで置換されていてもよく、Ａ１１、Ａ１２はそれぞれ独立して下記の何れかの構造
【００２３】
【化２】
2015133328.tif 000003
【００２４】
（該構造中シクロヘキサン環の１つ又は２つ以上の−ＣＨ２−は酸素原子が直接隣接しないように、−Ｏ−で置換されていてもよく、Ｘ６１及びＸ６２はそれぞれ独立して−Ｈ、−Ｃｌ、−Ｆ、−ＣＦ３又は−ＯＣＦ３を表す。）を表し、Ｘは−Ｈ、−Ｃｌ又は−Ｆを表し、Ｙは−Ｆ、−ＯＣＨＦ２、−ＣＦ３又は−ＯＣＦ３を表し、Ｚ１１及びＺ１２はそれぞれ独立して単結合、−ＣＨ＝ＣＨ−、−ＣＨ２Ｏ−、−ＯＣＨ２−、−ＣＨ２ＣＨ２−、−（ＣＨ２）４−、−ＯＣＦ２−又は−ＣＦ２Ｏ−を表し、ｍ１１は０〜４を表し、Ａ１２及び／又はＺ１２が複数存在する場合、それらは同一であっても、異なっていてもよい。）
また、その他のフッ素基が導入された液晶化合物として、具体的には以下のようなものが挙げられる。
【００２５】
【化３】
2015133328.tif 000004
【００２６】
（式中、Ｒ２１及びＲ２２はそれぞれ独立して炭素数１〜１５のアルキル基を表し、該アルキル基中の１つ又は２つ以上の−ＣＨ２−は、酸素原子が直接隣接しないように、−Ｏ−、−ＣＨ＝ＣＨ−、−ＣＯ−、−ＯＣＯ−、−ＣＯＯ−、−ＣＦ２Ｏ−又は−ＯＣＦ２−で置換されてよく、該アルキル基中の１つ又は２つ以上の水素原子は任意にハロゲンで置換されていてもよく、Ａ２１、Ａ２２はそれぞれ独立して下記の何れかの構造
【００２７】
【化４】
2015133328.tif 000005
【００２８】
を表し、Ｚ２１及びＺ２２はそれぞれ独立して単結合、−ＣＨ＝ＣＨ−、−ＣＨ２Ｏ−、−ＯＣＨ２−、−ＣＨ２ＣＨ２−、−（ＣＨ２）４−、−ＯＣＦ２−又は−ＣＦ２Ｏ−を表し、ｍ２及びｍ３は０〜３を表すが、ｍ２＋ｍ３は１〜３を表し、Ａ２１、Ａ２２、Ｚ２１及び／又はＺ２２が複数存在する場合、それらは同一であっても、異なっていてもよい。）
本発明の容器に使用される液晶材料には、フッ素基が導入された液晶化合物以外の液晶化合物も含有することができる。具体的には以下のような一般式（ＩＩＩ−Ａ）〜一般式（ＩＩＩ−Ｊ）で表される化合物が挙げられる。
【００２９】
【化５】
2015133328.tif 000006
【００３０】
（式中、Ｒ５及びＲ６はそれぞれ独立して炭素数１〜１５のアルキル基を表し、該アルキル基中の１つ又は２つ以上の−ＣＨ２−は、酸素原子が直接隣接しないように、−Ｏ−、−ＣＨ＝ＣＨ−、−ＣＯ−、−ＯＣＯ−、−ＣＯＯ−、−ＣＦ２Ｏ−又は−ＯＣＦ２−で置換されてよく、該アルキル基中の１つ又は２つ以上の水素原子は任意にハロゲンで置換されていてもよい。）
これらの液晶化合物は単独で用いても、複数を混合して用いても良い。
【００３１】
ＴＦＴ駆動用液晶表示素子に用いられる液晶材料は、高比抵抗値あるいは高電圧保持率を有し、更にその経時安定性を強く求められることから、本発明の容器は好適である。特に、比抵抗値１．０×１０１２Ω・ｃｍ以上の液晶材料に適用することが好ましく、１．０×１０１３Ω・ｃｍ以上の液晶材料に適用することがより好ましく、１．０×１０１４Ω・ｃｍ以上の液晶材料に適用することが更に好ましい。
【００３２】
本発明の容器は、炭素含有量０．０３％以下である耐腐食性鋼鉄を主成分とする素材とすることで液晶材料の比抵抗や電圧保持率等の電気的性能を劣化させることなく、長期間に渡って、変化が極めて小さく、特性の維持をすることができるため、貯蔵および輸送に使用することが好ましい。また、液晶材料を貯蔵あるいは輸送に使用している本発明の容器を配管等で、そのまま液晶表示素子の製造装置に連結することもできる。
【００３３】
本発明の容器は、輸送の際の移動を容易するために容器の底に底車等を取り付けることもできる。
【実施例】
【００３４】
以下に実施例を挙げて本発明を更に詳述するが、本発明はこれらの実施例に限定されるものではない。また、以下の実施例及び比較例の組成物における「％」は『質量％』を意味する。
実施例において化合物の記載について以下の略号を用いる。なお、ｎは自然数を表す。
（側鎖）
-n       -CnH2n+1  炭素原子数ｎの直鎖状のアルキル基
n-       CnH2n+1-  炭素原子数ｎの直鎖状のアルキル基
-On      -OCnH2n+1  炭素原子数ｎの直鎖状のアルコキシル基
nO-      CnH2n+1O-  炭素原子数ｎの直鎖状のアルコキシル基
-V       -CH=CH2
V-       CH2=CH-
-V1      -CH=CH-CH3
1V-      CH3-CH=CH-
-2V      -CH2-CH2-CH=CH3
V2-      CH3=CH-CH2-CH2-
-2V1     -CH2-CH2-CH=CH-CH3
1V2-     CH3-CH=CH-CH2-CH2
（連結基）
-n-      -CnH2n-
-nO-     -CnH2n-O-
-On-     -O-CnH2n-
-COO-    -C(=O)-O-
-OCO-    -O-C(=O)-
-CF2O-   -CF2-O-
-OCF2-   -O-CF2-
（環構造）【００３５】
【化６】
2015133328.tif 000007
【００３６】
実施例中、測定した特性は以下の通りである。【００３７】
Ｔｎｉ  ：ネマチック相−等方性液体相転移温度（℃）
Ｔｃｎ  ：固体相−ネマチック相転移温度（℃）
Δｎ  ：２０℃における屈折率異方性
Δε  ：２０℃における誘電率異方性
η    ：２０℃における粘度（ｍＰａ・ｓ）
γ１  ：２０℃における回転粘度（ｍＰａ・ｓ）
Ｋ３３  ：２０℃における弾性定数Ｋ３３（ｐＮ）
比抵抗値  ：２５℃における比抵抗値（Ω・ｃｍ）
電圧保持率：６０Ｈｚ、１Ｖ印加条件での６０℃における電圧保持率（％）
イオン密度：０．０５Ｈｚ、２０Ｖ印加条件での６０℃におけるイオン密度（ｐＣ／ｃｍ−３）
また、重合性化合物の代表例として（Ｉｂ−３）を用いたが、本発明は該重合性化合物に限定されるものではない。【００３８】
【化７】
2015133328.tif 000008
【００３９】
以下に実施例を挙げて本発明を更に詳述するが、本発明はこれらの実施例に限定されるものではない。
（実施例および比較例）
代表的な液晶としてＬＣ−Ａを調製した。液晶組成物の構成とその物性値は表１のとおりであった。【００４０】
【表１】
2015133328.tif 000009
【００４１】
次に、比較例１であるＳＵＳ３０４（汎用ステンレス）および実施例１であるＳＵＳ３１６Ｌ（低炭素ステンレス）を用いて容量１０Ｌの耐圧構造を有する容器を製造し、１０ＬのＬＣ−Ａを充填・密閉した。なお、使用したＳＵＳ３０４の炭素含有量の実測値は０．０４〜０．０８％であり、ＳＵＳ３１６Ｌの炭素含有量は０．０３％以下であった。室温でＬＣ−Ａを充填した各容器を保管し、１ヶ月および３ヶ月後に開封し評価を実施した。評価結果を表２に示す。【００４２】
【表２】
2015133328.tif 000010
【００４３】
比較例１であるＳＵＳ３０４からなる容器に充填したＬＣ−Ａは１ヵ月後、３ヶ月後と顕著に比抵抗値および電圧保持率の下落、ならびにイオン密度の増加が見られた。一方、実施例１であるＳＵＳ３１６Ｌからなる容器に充填したＬＣ−Ａは比抵抗値、電圧保持率およびイオン密度に大きな変化は見られなかった。
以上のことから、本発明の容器は液晶材料の品質と強い相関のある比抵抗値、電圧保持率およびイオン密度などの指標を変化させない優れた容器であることが確認された。
【手続補正書】
【提出日】平成27年10月6日(2015.10.6)
【手続補正１】
【補正対象書類名】特許請求の範囲
【補正対象項目名】全文
【補正方法】変更
【補正の内容】
【特許請求の範囲】
【請求項１】
有機材料との接触面が炭素含有量０．０３％以下である耐腐食性鋼鉄を主成分とする素材である、剛直で気密性を有する容器。
【請求項２】
水及び酸素に対する機密性を有する請求項１記載の容器。
【請求項３】
請求項１又は２記載の有機材料の貯蔵又は運搬のための容器。
【請求項４】
前記有機材料が比抵抗値１．０×１０１２Ω・ｃｍ以上である請求項１〜３のいずれか１項に記載の容器。
【請求項５】
前記有機材料が液晶材料である請求項１〜３のいずれか１項に記載の容器。
【請求項６】
請求項１〜５のいずれか一項に記載の容器を用いた貯蔵又は運搬の方法。
【請求項７】
不活性ガス雰囲気下で行う請求項６記載の貯蔵又は運搬の方法。
【手続補正書】
【提出日】平成28年2月24日(2016.2.24)
【手続補正１】
【補正対象書類名】特許請求の範囲
【補正対象項目名】全文
【補正方法】変更
【補正の内容】
【特許請求の範囲】
【請求項１】
比抵抗値１．０×１０１３Ω・ｃｍ以上であり、一般式（ＩＩＩ−Ａ）〜一般式（ＩＩＩ−Ｊ）
【化１】
2015133328.tif 000011
（式中、Ｒ５及びＲ６はそれぞれ独立して炭素数１〜１５のアルキル基を表し、該アルキル基中の１つ又は２つ以上の−ＣＨ２−は、酸素原子が直接隣接しないように、−Ｏ−、−ＣＨ＝ＣＨ−、−ＣＯ−、−ＯＣＯ−、−ＣＯＯ−、−ＣＦ２Ｏ−又は−ＯＣＦ２−で置換されてよく、該アルキル基中の１つ又は２つ以上の水素原子は任意にハロゲンで置換されていてもよい。）で表される化合物の群より選ばれる化合物を含有する液晶材料との接触面が炭素含有量０．０３％以下である耐腐食性鋼鉄を主成分とする素材である、剛直で水及び酸素に対する気密性を有する貯蔵又は運搬のための容器。
【請求項２】
前記液晶材料が、
【化２】
2015133328.tif 000012
（式中、Ｒ１１は炭素数１〜１５のアルキル基を表し、該アルキル基中の１つ又は２つ以上の−ＣＨ２−は、酸素原子が直接隣接しないように、−Ｏ−、−ＣＨ＝ＣＨ−、−ＣＯ−、−ＯＣＯ−、−ＣＯＯ−、−ＣＦ２Ｏ−又は−ＯＣＦ２−で置換されてよく、該アルキル基中の１つ又は２つ以上の水素原子は任意にハロゲンで置換されていてもよく、Ａ１１、Ａ１２はそれぞれ独立して下記の何れかの構造
【化３】
2015133328.tif 000013
（該構造中シクロヘキサン環の１つ又は２つ以上の−ＣＨ２−は酸素原子が直接隣接しないように、−Ｏ−で置換されていてもよく、Ｘ６１及びＸ６２はそれぞれ独立して−Ｈ、−Ｃｌ、−Ｆ、−ＣＦ３又は−ＯＣＦ３を表す。）を表し、Ｘは−Ｈ、−Ｃｌ又は−Ｆを表し、Ｙは−Ｆ、−ＯＣＨＦ２、−ＣＦ３又は−ＯＣＦ３を表し、Ｚ１１及びＺ１２はそれぞれ独立して単結合、−ＣＨ＝ＣＨ−、−ＣＨ２Ｏ−、−ＯＣＨ２−、−ＣＨ２ＣＨ２−、−（ＣＨ２）４−、−ＯＣＦ２−又は−ＣＦ２Ｏ−を表し、ｍ１は０〜４を表し、Ａ１２及び／又はＺ１２が複数存在する場合、それらは同一であっても、異なっていてもよい。）で表される化合物を含有する液晶材料である請求項１記載の容器。
【請求項３】
前記液晶材料が、
【化４】
2015133328.tif 000014
（式中、Ｒ２１及びＲ２２はそれぞれ独立して炭素数１〜１５のアルキル基を表し、該アルキル基中の１つ又は２つ以上の−ＣＨ２−は、酸素原子が直接隣接しないように、−Ｏ−、−ＣＨ＝ＣＨ−、−ＣＯ−、−ＯＣＯ−、−ＣＯＯ−、−ＣＦ２Ｏ−又は−ＯＣＦ２−で置換されてよく、該アルキル基中の１つ又は２つ以上の水素原子は任意にハロゲンで置換されていてもよく、Ａ２１、Ａ２２はそれぞれ独立して下記の何れかの構造
【化５】
2015133328.tif 000015
を表し、Ｚ２１及びＺ２２はそれぞれ独立して単結合、−ＣＨ＝ＣＨ−、−ＣＨ２Ｏ−、−ＯＣＨ２−、−ＣＨ２ＣＨ２−、−（ＣＨ２）４−、−ＯＣＦ２−又は−ＣＦ２Ｏ−を表し、ｍ２及びｍ３は０〜３を表すが、ｍ２＋ｍ３は１〜３を表し、Ａ２１、Ａ２２、Ｚ２１及び／又はＺ２２が複数存在する場合、それらは同一であっても、異なっていてもよい。）で表される化合物を含有する液晶材料である請求項１記載の容器。
【請求項４】
前記液晶材料がＴＦＴ駆動液晶表示素子用の液晶材料である請求項１〜３のいずれか一項に記載の容器。
【請求項５】
請求項１〜４のいずれか一項に記載の容器を用いた貯蔵又は運搬の方法。
【請求項６】
不活性ガス雰囲気下で行う請求項５記載の貯蔵又は運搬の方法。
【手続補正書】
【提出日】平成28年8月25日(2016.8.25)
【手続補正１】
【補正対象書類名】特許請求の範囲
【補正対象項目名】全文
【補正方法】変更
【補正の内容】
【特許請求の範囲】
【請求項１】
比抵抗値１．０×１０１３Ω・ｃｍ以上であり、一般式（ＩＩＩ−Ａ）〜一般式（ＩＩＩ−Ｊ）
【化１】
2015133328.tif 000016
（式中、Ｒ５及びＲ６はそれぞれ独立して炭素数１〜１５のアルキル基を表し、該アルキル基中の１つ又は２つ以上の−ＣＨ２−は、酸素原子が直接隣接しないように、−Ｏ−、−ＣＨ＝ＣＨ−、−ＣＯ−、−ＯＣＯ−、−ＣＯＯ−、−ＣＦ２Ｏ−又は−ＯＣＦ２−で置換されてよく、該アルキル基中の１つ又は２つ以上の水素原子は任意にハロゲンで置換されていてもよい。）で表される化合物の群より選ばれる化合物を含有する液晶材料に使用する容器であって、容器の素材が低炭素ステンレスＳＵＳ３１６Ｌである、剛直で水及び酸素に対する気密性を有する貯蔵又は運搬のための容器。
【請求項２】
前記液晶材料が、
【化２】
2015133328.tif 000017
（式中、Ｒ１１は炭素数１〜１５のアルキル基を表し、該アルキル基中の１つ又は２つ以上の−ＣＨ２−は、酸素原子が直接隣接しないように、−Ｏ−、−ＣＨ＝ＣＨ−、−ＣＯ−、−ＯＣＯ−、−ＣＯＯ−、−ＣＦ２Ｏ−又は−ＯＣＦ２−で置換されてよく、該アルキル基中の１つ又は２つ以上の水素原子は任意にハロゲンで置換されていてもよく、Ａ１１、Ａ１２はそれぞれ独立して下記の何れかの構造
【化３】
2015133328.tif 000018
（該構造中シクロヘキサン環の１つ又は２つ以上の−ＣＨ２−は酸素原子が直接隣接しないように、−Ｏ−で置換されていてもよく、Ｘ６１及びＸ６２はそれぞれ独立して−Ｈ、−Ｃｌ、−Ｆ、−ＣＦ３又は−ＯＣＦ３を表す。）を表し、Ｘは−Ｈ、−Ｃｌ又は−Ｆを表し、Ｙは−Ｆ、−ＯＣＨＦ２、−ＣＦ３又は−ＯＣＦ３を表し、Ｚ１１及びＺ１２はそれぞれ独立して単結合、−ＣＨ＝ＣＨ−、−ＣＨ２Ｏ−、−ＯＣＨ２−、−ＣＨ２ＣＨ２−、−（ＣＨ２）４−、−ＯＣＦ２−又は−ＣＦ２Ｏ−を表し、ｍ１は０〜４を表し、Ａ１２及び／又はＺ１２が複数存在する場合、それらは同一であっても、異なっていてもよい。）で表される化合物を含有する液晶材料である請求項１記載の容器。
【請求項３】
前記液晶材料が、
【化４】
2015133328.tif 000019
（式中、Ｒ２１及びＲ２２はそれぞれ独立して炭素数１〜１５のアルキル基を表し、該アルキル基中の１つ又は２つ以上の−ＣＨ２−は、酸素原子が直接隣接しないように、−Ｏ−、−ＣＨ＝ＣＨ−、−ＣＯ−、−ＯＣＯ−、−ＣＯＯ−、−ＣＦ２Ｏ−又は−ＯＣＦ２−で置換されてよく、該アルキル基中の１つ又は２つ以上の水素原子は任意にハロゲンで置換されていてもよく、Ａ２１、Ａ２２はそれぞれ独立して下記の何れかの構造
【化５】
2015133328.tif 000020
を表し、Ｚ２１及びＺ２２はそれぞれ独立して単結合、−ＣＨ＝ＣＨ−、−ＣＨ２Ｏ−、−ＯＣＨ２−、−ＣＨ２ＣＨ２−、−（ＣＨ２）４−、−ＯＣＦ２−又は−ＣＦ２Ｏ−を表し、ｍ２及びｍ３は０〜３を表すが、ｍ２＋ｍ３は１〜３を表し、Ａ２１、Ａ２２、Ｚ２１及び／又はＺ２２が複数存在する場合、それらは同一であっても、異なっていてもよい。）で表される化合物を含有する液晶材料である請求項１記載の容器。
【請求項４】
前記液晶材料がＴＦＴ駆動液晶表示素子用の液晶材料である請求項１〜３のいずれか一項に記載の容器。
【請求項５】
請求項１〜４のいずれか一項に記載の容器を用いた貯蔵又は運搬の方法。
【請求項６】
不活性ガス雰囲気下で行う請求項５記載の貯蔵又は運搬の方法。
【国際調査報告】
2015133328.tif 000021
2015133328.tif 000022
2015133328.tif 000023